(57)【特許請求の範囲】
【請求項１】
電動機と前記電動機により回転される回転軸とを含む電動部と、
前記回転軸に接続されている遠心羽根車と、
前記電動機と前記遠心羽根車との間に配置される主板と、
前記回転軸の延在方向に交差する方向において前記遠心羽根車を取り囲むように形成されている複数の静翼とを備え、
前記主板は、前記交差する方向に延び、かつ前記延在方向において前記遠心羽根車側に位置する第１面を有し、
前記複数の静翼の各々は、前記第１面に連結されており、
前記延在方向に垂直な断面における前記複数の静翼の各々の中心線は、前記回転軸に最も近い位置にある内周端部と前記回転軸から最も遠い位置にある外周端部とを有し、
前記複数の静翼の各々は、前記内周端部を通る前記中心線の接線と、前記内周端部を通る前記回転軸を中心として前記内周端部を通る円弧の接線とが、前記断面上に成す入口設置角を有し、
前記複数の静翼の各々において、前記延在方向に垂直な第１断面上における前記入口設置角は、前記第１断面よりも前記第１面から離れた位置にあり、かつ前記延在方向に垂直な第２断面上における前記入口設置角よりも小さく、
前記複数の静翼の各々において、前記第１断面における前記内周端部および前記第２断面における前記内周端部は、前記延在方向において重なるように形成されている、電動送風機。
【請求項２】
電動機と前記電動機により回転される回転軸とを含む電動部と、
前記回転軸に接続されている遠心羽根車と、
前記電動機と前記遠心羽根車との間に配置される主板と、
前記回転軸の延在方向に交差する方向において前記遠心羽根車を取り囲むように形成されている複数の静翼とを備え、
前記主板は、前記交差する方向に延び、かつ前記延在方向において前記遠心羽根車側に位置する第１面を有し、
前記複数の静翼の各々は、前記第１面に連結されており、
前記延在方向に垂直な断面における前記複数の静翼の各々の中心線は、前記回転軸に最も近い位置にある内周端部と前記回転軸から最も遠い位置にある外周端部とを有し、
前記複数の静翼の各々は、前記内周端部を通る前記中心線の接線と、前記内周端部を通る前記回転軸を中心として前記内周端部を通る円弧の接線とが、前記断面上に成す入口設置角を有し、
前記複数の静翼の各々において、前記延在方向に垂直な第１断面上における前記入口設置角は、前記第１断面よりも前記第１面から離れた位置にあり、かつ前記延在方向に垂直な第２断面上における前記入口設置角よりも小さく、
前記複数の静翼の各々において、前記第１断面における前記外周端部および前記第２断面における前記外周端部は、前記延在方向において重なるように形成されている、電動送風機。
【請求項３】
前記複数の静翼の各々は、前記外周端部を通る前記中心線の接線と、前記外周端部を通る前記回転軸を中心として前記外周端部を通る円弧の接線とが、前記断面上に成す出口設置角を有し、
前記複数の静翼の各々において、前記第１断面上における前記出口設置角は、前記第２断面上における前記出口設置角よりも小さい、請求項１または２に記載の電動送風機。
【請求項４】
前記延在方向に垂直な断面において、前記複数の静翼の各々の前記遠心羽根車の回転方向における一方の外形線および他方の外形線は、略円弧状である、請求項１〜３のいずれか１項に記載の電動送風機。
【請求項５】
前記一方の外形線の曲率中心は、前記一方の外形線よりも前記他方の外形線側に位置しており、
前記他方の外形線の曲率中心は、前記他方の外形線よりも前記一方の外形線側に位置している、請求項４に記載の電動送風機。
【請求項６】
前記延在方向から視たときに、前記主板の外形状は略円形である、請求項１〜５のいずれか１項に記載の電動送風機。
【請求項７】
前記複数の静翼の外径は、前記主板の外径よりも大きい、請求項１〜６のいずれか１項に記載の電動送風機。
【請求項８】
前記複数の静翼の各々において、前記第１断面と前記第２断面との間に位置し、かつ前記延在方向に垂直な第３断面上における前記入口設置角は、前記第１断面上における前記入口設置角超えであって前記第２断面上における前記入口設置角未満である、請求項１〜７のいずれか１項に記載の電動送風機。
【請求項９】
前記延在方向における前記第１断面と前記第３断面との間の距離に対する、前記第１断面上における前記入口設置角と前記第３断面上における前記入口設置角との差の比率は、前記延在方向における前記第３断面と前記第２断面との間の距離に対する、前記第３断面上における前記入口設置角と前記第２断面上における前記入口設置角との差の比率と異なる、請求項８に記載の電動送風機。
【請求項１０】
電気掃除機本体と、
前記電気掃除機本体と管路で連結され、被清掃部の空気を吸引する吸込具と、
前記電気掃除機本体の内部に設けられ、前記吸込具と連通し、吸引した空気の塵を収納する集塵部と、
前記電気掃除機本体の内部に設けられ、前記吸込具から前記集塵部へと空気を吸引する、請求項１〜９のいずれか１項に記載の電動送風機とを備え、
前記電気掃除機本体外側には、前記集塵部で集塵された後の空気を前記電気掃除機本体の外へ排出する排出口が設けられている、電気掃除機。
【請求項１１】
使用者が手を挿入する開口部である手挿入部を含む本体と、
前記本体の内部に設けられた、請求項１〜９のいずれか１項に記載の電動送風機とを備え、
前記本体には、前記電動送風機が外気を取込むための吸気口と、前記手挿入部に向けて前記電動送風機から送出される前記外気を吹き付けるための吹出口とが形成されている、ハンドドライヤー。 
【発明の詳細な説明】
【技術分野】
【０００１】
本発明は、電動送風機、電気掃除機、およびハンドドライヤーに関する。
【背景技術】
【０００２】
従来、電気掃除機に用いられる電動送風機が知られている。電動送風機は、電動機により回転される回転軸に固定された遠心羽根車と、遠心羽根車よりも下流側に形成されたディフューザを主に備えている。遠心羽根車は、ボス部と、ボス部上において吸気口側に形成された複数の動翼を含む。ディフューザは、電動機と遠心羽根車との間に形成された基板（主板）と、基板上において吸気口側に形成された複数の静翼と、電動機側に形成された複数の戻り静翼とを含む。ディフューザは、静翼側から戻り静翼側へ向かう流れ変更部を略螺旋状とし、通風抵抗が低減されたものがある（例えば、特開２０１０−２４９０３８号公報（特許文献１）参照）。【０００３】
一般的に、電動送風機では、遠心羽根車から吹き出される気体の流速は、回転軸の延在方向における位置に応じて異なっている。具体的には、該延在方向においてボス部に近い位置を通って複数の動翼間から流出する気体の流速は、該延在方向においてボス部から離れた位置を通って複数の動翼間から流出する気体の絶対流速（以下流速）よりも遅くなる。遠心羽根車から吹き出される気体の流出方向は、その流速に応じて異なる。そのため、遠心羽根車から吹き出される気体の流出方向と回転軸の回転方向との成す流出角は、上記延在方向における位置に応じて異なっている。
【先行技術文献】
【特許文献】
【０００４】
【特許文献１】特開２０１０−２４９０３８号公報
【発明の概要】
【発明が解決しようとする課題】
【０００５】
従来の電動送風機において、延在方向に垂直な断面における複数の静翼の各々の中心線は、回転軸に最も近い位置にある内周端部と回転軸から最も遠い位置にある外周端部とを有している。そして、複数の静翼の各々は、その中心線と内周端部において接する接線と、回転軸を中心として内周端部を通る円弧と内周端部において接する接線とが断面上に成す入口設置角を有している。そして、従来の電動送風機では、回転軸の延在方向における上記断面の位置によらず、複数の静翼の各々の入口設置角は一定に形成されている。【０００６】
そのため、従来の電動送風機の上記入口設置角は、上記延在方向の少なくとも一部で上記流出角と対応しておらず、遠心羽根車から吹き出される気体の少なくとも一部は静翼に沿って流入し得ない。例えば、入口設置角が上記延在方向においてボス部から離れた位置を通って複数の動翼間から流出する気体の流出方向に沿うように形成されている場合には、上記延在方向においてボス部に近い位置を通って複数の動翼間から流出する気体は該静翼の外形に沿って流れることができない。そのため、複数の静翼間において、気体の流れが乱れて局所的に逆流が生じる。その結果、従来の電動送風機では、効率を向上することが困難であった。特に、小径化された従来の電動送風機では、複数の静翼間での上記乱れによって、効率が大きく低下するという問題があった。【０００７】
本発明は上記のような課題を解決するためになされたものである。本発明の主たる目的は、効率が向上されている電動送風機、ならびに該電動送風機を備える電気掃除機およびハンドドライヤーを提供することにある。
【課題を解決するための手段】
【０００８】
本発明に係る電動送風機は、電動機と電動機により回転される回転軸とを含む電動部と、回転軸に接続されている遠心羽根車と、回転軸の延在方向において電動機と遠心羽根車との間に位置する主板と、延在方向に交差する方向において遠心羽根車を取り囲むように形成されている複数の静翼とを備える。主板は、交差する方向に延び、かつ延在方向において遠心羽根車側に位置する第１面を有している。複数の静翼の各々は、第１面に連結されている。延在方向において、延在方向に垂直な断面における複数の静翼の各々の中心線は、回転軸に最も近い位置にある内周端部と回転軸から最も遠い位置にある外周端部とを有している。複数の静翼の各々は、中心線と内周端部において接する接線と、回転軸を中心として内周端部を通る円弧と内周端部において接する接線とが断面上に成す入口設置角を有している。複数の静翼の各々において、延在方向に垂直な第１断面上における入口設置角は、第１断面よりも第１面から離れた位置にあり、かつ延在方向に垂直な第２断面上における入口設置角よりも小さい。
【発明の効果】
【０００９】
本発明によれば、複数の静翼の各々において、回転軸の延在方向に垂直な第１断面上における入口設置角は、第１断面よりも第１面から離れた位置にあり、かつ前記延在方向に垂直な第２断面上における入口設置角よりも小さい。そのため、本発明に係る電動送風機によれば、従来の電動送風機と比べて、入口設置角と沿うように複数の静翼間に流入し得ない気体の流れが形成されることが抑制されている。そのため、本発明によれば、効率が向上されている電動送風機、ならびに該電動送風機を備える電気掃除機およびハンドドライヤーを提供することができる。
【図面の簡単な説明】
【００１０】
【図１】実施の形態１に係る電動送風機の、回転軸の延在方向に沿った断面図である。
【図２】実施の形態１に係るディフューザを示す斜視図である。
【図３】実施の形態１に係る静翼の入口設置角および出口設置角を示す図である。
【図４】実施の形態１に係る静翼の入口設置角の変化率を示すグラフである。
【図５】流体解析により求められた、実施の形態１に係る遠心羽根車から吹き出された気体の絶対速度分布を示す図である。
【図６】実施の形態２に係る静翼の入口設置角および出口設置角を示す図である。
【図７】実施の形態３に係るディフューザを示す斜視図である。
【図８】実施の形態３に係る静翼を示す図である。
【図９】実施の形態４に係る静翼の入口設置角の変化率を示すグラフである。
【図１０】実施の形態４に係る静翼の出口設置角の変化率を示すグラフである。
【図１１】実施の形態４に係る静翼において内周側に位置する部分の、回転軸の延在方向に沿った断面図である。
【図１２】実施の形態４に係る静翼において外周側に位置する部分の、回転軸の延在方向に沿った断面図である。
【図１３】実施の形態５に係る電気掃除機を示す模式図である。
【図１４】実施の形態６に係るハンドドライヤーを示す模式図である。
【発明を実施するための形態】
【００１１】
以下、図面を参照して、本発明の実施の形態について説明する。なお、以下の図面において同一または相当する部分には同一の参照番号を示し、その説明は繰り返さない。
【００１２】
実施の形態１．
＜電動送風機の構成＞
図１〜図４を参照して、実施の形態１に係る電動送風機について説明する。図１中の矢印は、電動送風機における気体の流れの一部を例示している。
【００１３】
図１に示されるように、本発明の実施形態に係る電動送風機１は、電動部２と、遠心羽根車６と、ディフューザ１０とを主に備える。
【００１４】
電動部２は、電動機としてのロータ３およびステータ４と、ロータ３に接続された出力軸としてのシャフト５（回転軸）とを含む。電動部２は、シャフト５（回転軸）を介して遠心羽根車６を回転させる。以下において、シャフト５の延在方向（図１中において１点鎖線で示される回転中心Ｏの延在方向）を単に延在方向とよぶ。以下において、当該延在方向に垂直であってシャフト５の中心から外周側に向かって延びる径方向を単に径方向とよぶ。以下において、当該延在方向において電動送風機１の吸込側を前側、該吸込側とは反対側を後側とよぶ。
【００１５】
遠心羽根車６は、ハブ７と、複数の動翼８とを含む。ハブ７は、平面形状の外形が円形状である。上記径方向におけるハブ７の中央部は、該径方向において該中央部よりも外周側に位置するハブ７の外周部と比べて、前側に向かって突出している。複数の動翼８は、上記延在方向に垂直な回転方向において、互いに間隔を隔てて設けられている。
【００１６】
ディフューザ１０は、電動送風機１内に形成される気体の流路において、遠心羽根車６よりも下流側に配置されている。ディフューザ１０は、主板１１、複数の静翼１２、戻り静翼１３、ファンカバー１４およびブラケット１５により構成されている。
【００１７】
主板１１は、遠心羽根車６と上記電動機との間に配置されている。主板１１は、遠心羽根車６よりも下流側に配置されている。主板１１は、上記径方向において遠心羽根車６よりも外周側に配置されている。主板１１は、上記交差する方向に延び、かつ上記延在方向において遠心羽根車６側（前側）に位置する第１面１１Ａと、上記交差する方向に延び、かつ上記延在方向において電動機側（後側）に位置する第２面１１Ｂとを有している。上記延在方向から視たときに、主板１１の外形は円形状である。上記延在方向から視たときに、主板１１の平面形状は、例えば円環状である。
【００１８】
複数の静翼１２は、主板１１の第１面１１Ａに連結されている。複数の静翼１２の各々は、上記径方向において複数の動翼８よりも外周側に形成されている。複数の静翼１２は、上記回転方向において互いに間隔を隔てて形成されている。複数の静翼１２の詳細な構成は後述する。複数の戻り静翼１３は、主板１１の第２面１１Ｂに連結されている。複数の戻り静翼１３は、上記回転方向において互いに間隔を隔てて形成されている。
【００１９】
ファンカバー１４は、遠心羽根車６および複数の静翼１２を内包するように、形成されている。ファンカバー１４は、上記延在方向において複数の動翼８および複数の静翼１２より外側に設置される。ファンカバー１４は、上記径方向において主板１１よりも外側に設置される。主板１１とファンカバー１４との間には、静翼１２間の気体の流路と戻り静翼１３間の気体の流路とを接続する隙間２１が形成されている。隙間２１において、気体の流通方向は転向される。ファンカバー１４の中央部には、遠心羽根車６の吸込口１７に対向する位置に、開口部を規定するベルマウス１８が設けられている。
【００２０】
ブラケット１５は、ファンカバー１４と連結し、戻り静翼１３を内包するように、形成されている。ブラケット１５には、遠心羽根車６、ディフューザ１０を順に通過した空気が排出される形成された排出口１６が複数箇所に形成されている。ブラケット１５の下方には、ブラケット１５に連結し、電動部２を内包するモータフレーム１９が設けられている。モータフレーム１９には、遠心羽根車６、ディフューザ１０、電動部２を順に通過した空気が吐出される吐出口２０が複数箇所に形成されている。
【００２１】
次に、図１〜図４を参照して、複数の静翼１２の詳細な構成について説明する。図１および図２に示されるように、複数の静翼１２の各々は、上記延在方向において後側に位置する端部としての第１部１２Ａと、上記延在方向において前側に位置する端部としての第２部１２Ｂとを有している。第１部１２Ａは、主板１１の第１面１１Ａに連結されている静翼１２の一部分である。異なる観点から言えば、第１部１２Ａは、上記延在方向に垂直な第１断面に表れる静翼１２の一部分である。該第１断面は第１面１１Ａと同一面上に形成される断面である。第２部１２Ｂは、例えばファンカバー１４に接続されている静翼１２の一部分である。異なる観点から言えば、第２部１２Ｂは、上記延在方向に垂直な第２断面に表れる静翼１２の一部分である。該第２断面は、上記延在方向における静翼１２の長さだけ、第１断面よりも第１面１１Ａから離れた位置にある。図３では、上記第１断面および上記第２断面に平行な平面に重ねて投影された第１部１２Ａおよび第２部１２Ｂが示されている。図３では、複数の静翼１２のうちの一部のみが図示されている。第１部１２Ａの上記延在方向に垂直な断面形状は、例えば第２部１２Ｂの上記延在方向に垂直な断面形状と等しい。
【００２２】
図３に示されるように、第１部１２Ａの第１中心線ＣＬＡは、回転中心Ｏに最も近い位置にある第１端部ＦＥＡ（内周端部）と、回転中心Ｏから最も遠い位置にある第２端部ＢＥＡ（外周端部）とを有している。第１中心線ＣＬＡは、第１部１２Ａの上記回転方向において前方に位置する外形線、および第１部１２Ａの後方に位置する外形線に内接する円の中心を結ぶ線である。第１中心線ＣＬＡは、例えば円弧状に形成される。第１端部ＦＥＡは、第２端部ＢＥＡよりも上記回転方向において後方に形成されている。
【００２３】
図３に示されるように、第２部１２Ｂの第２中心線ＣＬＢは、回転中心Ｏに最も近い位置にある第３端部ＦＥＢ（内周端部）と、回転中心Ｏから最も遠い位置にある第４端部ＢＥＢ（外周端部）とを有している。第２中心線ＣＬＢは、第２部１２Ｂの上記回転方向において前方に位置する外形線、および第２部１２Ｂの後方に位置する外形線に内接する円の中心を結ぶ線である。第２中心線ＣＬＢは、例えば円弧状に形成される。第３端部ＦＥＢは、第４端部ＢＥＢよりも上記回転方向において後方に形成されている。
【００２４】
図３に示されるように、第１部１２Ａに関し、第１接線ＴＦＡおよび第２接線Ｔ１を考える。第１接線ＴＦＡは、第１端部ＦＥＡを通る、第１部１２Ａの第１中心線ＣＬＡの接線である。第２接線Ｔ１は、第１端部ＦＥＡを通る、回転中心Ｏを中心として第１端部ＦＥＡと通る第１円弧ＣＩ１の接線である。第１接線ＴＦＡと第２接線Ｔ１とは、上記第１断面上に第１入口設置角θＩＡを成している。
【００２５】
図３に示されるように、第２部１２Ｂに関し、第３接線ＴＦＢおよび第４接線Ｔ１を考える。第３接線ＴＦＢは、第３端部ＦＥＢを通る、第２部１２Ｂの第２中心線ＣＬＢの接線である。第４接線Ｔ１は、第３端部ＦＥＢを通る、回転中心Ｏを中心とし第３端部ＦＥＢと通る第２円弧ＣＩ１の接線である。なお、第４接線は、上記延在方向から視たときに上記第２接線と重なるため、図３においてＴ１で示される。第２円弧は、上記延在方向から視たときに上記第１円弧ＣＩ１と重なるため、図３においてＣＩ１で示される。第３接線ＴＦＢと第４接線Ｔ１とは、上記第２断面上に第２入口設置角θＩＢを成している。
【００２６】
図３に示されるように、第１部１２Ａに関し、第５接線ＴＢＡおよび第６接線Ｔ２を考える。第５接線ＴＢＡは、第２端部ＢＥＡを通る、第１中心線ＣＬＡの接線である。第６接線Ｔ２は、第２端部ＢＥＡを通る、回転中心Ｏを中心とし第２端部ＢＥＡと通る第３円弧ＣＩ２の接線である。第５接線ＴＢＡと第６接線Ｔ２とは、上記第１断面上に第１出口設置角θＯＡを成している。
【００２７】
図３に示されるように、第２部１２Ｂに関し、第７接線ＴＢＢおよび第８接線Ｔ３を考える。第７接線ＴＢＢは、第４端部ＢＥＢを通る、第２中心線ＣＬＢの接線である。第８接線Ｔ３は、第４端部ＢＥＢを通る、回転中心Ｏを中心とし第４端部ＢＥＢと通る第４円弧ＣＩ３の接線である。第７接線ＴＢＢと第８接線とは、上記第２断面上に第２出口設置角θＯＢを成している。
【００２８】
図３に示されるように、複数の静翼１２の各々は、第１入口設置角θＩＡが第２位入口設置角θＩＢよりも小さくなるように構成されている。複数の静翼１２の各々は、第１出口設置角θＯＡが第２出口設置角θＯＢよりも小さくなるように構成されている。複数の静翼１２において、第１端部ＦＥＡおよび第３端部ＦＥＢは、上記延在方向において重なるように形成されている。複数の静翼１２において、第２端部ＢＥＡは、第４端部ＢＥＢよりも上記回転方向において前方に形成されている。複数の静翼１２において、第２端部ＢＥＡは、第４端部ＢＥＢよりも上記径方向において内側に形成されている。
【００２９】
上記延在方向に垂直な任意の断面において、複数の静翼１２の各々の入口設置角は、上記第１入口設置角θＩＡおよび第２入口設置角θＩＢと同様に定義され得る。上記延在方向に垂直な任意の断面において、複数の静翼１２の各々の出口設置角は、上記第１出口設置角θＯＡおよび第２出口設置角θＯＢと同様に定義され得る。そして、複数の静翼１２の各々について上記延在方向に垂直な任意の２つの断面を考えたときに、第１面１１Ａに近い一方の断面における入口設置角は、該一方の断面よりも第１面１１Ａから離れた他方の断面における入口設置角よりも小さい。
【００３０】
図２および図３に示されるように、複数の静翼１２において、上記内周端部よりも外周側に位置する部分は、例えば上記延在方向において第１部１２Ａから第２部１２Ｂに向かうにつれて上記回転方向の後方側に向かうように傾斜している。複数の静翼１２の各々において、上記第１断面と上記第２断面との間に位置し上記延在方向に垂直な第３断面における上記入口設置角は、例えば上記第１入口設置角θＩＡ超え第２入口設置角θＩＢ未満である。複数の静翼１２の各々において、上記第３断面における上記出口設置角は、例えば第１出口設置角θＯＡ超え第２出口設置角θＯＢ未満である。
【００３１】
図４に示されるように、複数の静翼１２の入口設置角は、例えば上記延在方向における位置（第１面１１Ａに対する高さ）に応じて一定の割合で変化している。なお、図４の横軸は複数の静翼１２の上記延在方向における位置を示し、図４の縦軸は当該位置における上記入口設置角を示す。同様に、複数の静翼１２の出口設置角は、例えば上記延在方向における位置（第１面１１Ａに対する高さ）に応じて一定の割合で変化している。
【００３２】
なお、複数の静翼１２において、複数の第１端部ＦＥＡの各々は第１円弧ＣＩ１上に、複数の第３端部ＦＥＢの各々は第２円弧ＣＩ１上に配置されている。複数の静翼１２において、複数の第２端部ＢＥＡの各々は第３円弧ＣＩ２上に、複数の第４端部ＢＥＢの各々は第４円弧ＣＩ３上に配置されている。
【００３３】
図１および図２に示されるように、複数の静翼１２の外径Ｌ１は、主板１１の外径Ｌ２よりも大きい。複数の静翼１２の外径Ｌ１は、複数の静翼１２の第２部１２Ｂのうち上記径方向において最も外周側に位置する部分を結ぶ円の直径に等しく、上記第４円弧ＣＩ３の直径に略等しい。主板１１の外径Ｌ２は、上記第１円弧ＣＩ１の直径以上である。主板１１の外径Ｌ２は、上記第４円弧ＣＩ３の直径未満である。
【００３４】
図３に示されるように、上記延在方向に垂直な断面において、上記回転方向において前方に位置する複数の静翼１２の各々の外形線の曲率中心は、該前方の外形線よりも前方に位置している。上記断面において、上記回転方向において後方に位置する複数の静翼１２の各々の外形線の曲率中心は、上記前方の外形線よりも前方に位置している。静翼１２の上記回転方向において前方に位置する外形線と後方に位置する外形線との間の距離、言い換えると静翼１２の厚みは、上記中心線の延びる方向において略等しい。
【００３５】
＜電動送風機の動作＞
図１に示されるように、電動送風機１は、電動部２に電力が供給されると、シャフト５が回転する。シャフト５が回転することにより、シャフト５に取付けられた遠心羽根車６が回転し、吸込口１７から空気を吸引する。遠心羽根車６によって電動送風機１内に吸引された空気は、遠心羽根車６より昇圧、増速され、旋回しながら径方向外側へ向かう。遠心羽根車６から吐出された空気は、ディフューザ１０の複数の静翼１２間で減速、昇圧される。その後、複数の静翼１２間を流通した気体は、隙間２１に流出される。隙間２１に流出された気体の一部は、戻り静翼１３によって電動部２側に導かれ、吐出口２０から電動送風機１の外側へ排出される。隙間２１に流出された気体の残部は排出口１６から電動送風機１の外側へ排出される。
【００３６】
＜電動送風機の作用効果＞
図１〜図４に示されるように、電動送風機１は、シャフト５を含む電動部と、シャフト５に接続されている遠心羽根車６と、電動機と遠心羽根車６との間に配置される主板１１と、延在方向に交差する方向において遠心羽根車６を取り囲むように形成されている複数の静翼１２とを備える。主板１１は、上記交差する方向に延び、かつ上記延在方向において遠心羽根車６側に位置する第１面１１Ａを有している。複数の静翼１２の各々は、第１面１１Ａに連結されている。上記延在方向に垂直な断面における複数の静翼１２の各々の中心線は、シャフト５に最も近い位置にある内周端部とシャフト５から最も遠い位置にある外周端部とを有している。複数の静翼１２の各々は、中心線と内周端部において接する接線と、シャフト５を中心として内周端部を通る円弧と内周端部において接する接線とが断面上に成す入口設置角を有している。複数の静翼１２の各々において、延在方向に垂直な第１断面上における第１入口設置角θＩＡは、第１断面よりも第１面１１Ａから離れた位置にあり、かつ上記延在方向に垂直な第２断面上における第２入口設置角ＩＢよりも小さい。
【００３７】
図５に示されるように、電動送風機１において、遠心羽根車６から吹き出された気体の流速は、上記延在方向における位置に応じた分布を示す。上記延在方向においてハブ７（図１参照）に相対的に近い領域から吹き出された気体の流速は、上記延在方向においてハブ７（図１参照）から相対的に遠い領域から吹き出された気体の流速よりも遅い。
【００３８】
遠心羽根車６から吹き出された気体の流出方向は、気体の流速に応じて異なる。遠心羽根車６から吹き出される気体の流速を上記径方向に沿った速度成分と上記回転方向に沿った速度成分とに分けて考えると、上記径方向に沿った速度成分は静翼１２に向かうにつれて徐々に減り、上記回転方向成分の割合が徐々に大きくなる。そのため、遠心羽根車６から吹き出された気体では、その流出方向と上記回転方向とが成す流出角は低角となる。遠心羽根車６からより低速で吹き出された気体では、その流出方向と上記回転方向とが成す流出角はより低角となる。つまり、上記延在方向においてハブ７に相対的に近い領域から吹き出された気体の流出角は、静翼１２に向かうにつれ、上記延在方向においてハブ７から相対的に遠い領域から吹き出された気体の流出角よりも小さくなる。
【００３９】
このような速度分布（流出角度分布）は、遠心羽根車の構成に依るものであり、従来の電動送風機も同様の速度分布を示す。従来の電動送風機では、複数の静翼の入口設置角は、上記延在方向の位置によらず一定であり、遠心羽根車から吹き出された気体の速度分布を考慮して設計されたものではなかった。そのため、従来の電動送風機は、複数の静翼間において気体の流れが乱れ、効率を向上することが困難であった。特に、小径化された従来の電動送風機では、上記乱れにより効率が大きく低下する。小径化された電動送風機は、遠心羽根車、主板、およびファンガイドが小径化されている。小径化された遠心羽根車から吹き出される気体の流出角は、それよりも大径の遠心羽根車から吹き出される気体の流出角と比べて大きくなる。そのため、小径化された電動送風機では、上記流出角がより大きくかつ上記速度分布を示す気体が、上記延在方向の位置によらず一定の入口設置角を成すように形成された静翼間に流入するため、上記乱れにより効率が低下する。
【００４０】
これに対し、電動送風機１では、複数の静翼１２の入口設置角は、遠心羽根車から吹き出された気体の速度分布を考慮して設計されており、上記延在方向の位置に応じて異なっている。
【００４１】
上記延在方向においてハブ７（図１参照）に相対的に近い領域から吹き出された気体は、複数の静翼１２間の第１面１１Ａに相対的に近い領域に流入する。上記延在方向においてハブ７（図１参照）から相対的に遠い領域から吹き出された気体は、複数の静翼１２間の主板１１の第１面１１Ａから相対的に遠い領域に流入する。そして、第１面１１Ａに相対的に近く上記延在方向に垂直な断面上での静翼１２の形状から求められる入口設置角は、第１面１１Ａから相対的に遠く上記延在方向に垂直な断面上での静翼１２の形状から求められる入口設置角よりも小さい。例えば、第１入口設置角θＩＡは第２入口設置角θＩＢよりも小さい。
【００４２】
そのため、電動送風機１の複数の静翼１２は、上記延在方向においてハブ７に近い位置を通って複数の動翼７間から流出する気体の流出方向に沿うように形成され、かつ上記延在方向においてハブ７から離れた位置を通って複数の動翼間から流出する気体の流出方向に沿うように形成され得る。その結果、電動送風機１では、遠心羽根車６から吹き出された気体は、ディフューザ１０内を静翼１２に沿って流通し得る。そのため、電動送風機１は、従来の電動送風機と比べて、流れの剥離の発生が抑制されかつ衝突損失が低減されており、効率が向上されている。特に、電動送風機１は、小径化された場合にも、小径化された遠心羽根車６から吹き出される気体の流出角に応じた入口設置角を示す複数の静翼１２を備え得る。そのため、電動送風機１は、小径化された場合にも、効率が高い。
【００４３】
上記電動送風機１の複数の静翼１２の各々において、上記第１断面と上記第２断面との間に位置し、かつ上記延在方向に垂直な第３断面上における入口設置角は、第１入口設置角θＩＡ超えであって第２入口設置角θＩＢ未満である。
【００４４】
このような電動送風機１の複数の静翼１２は、図５に示される速度分布に応じてより適切に形成されている。例えば、複数の静翼１２は、上記延在方向においてハブ７およびファンカバー１４から離れた位置を通って複数の動翼７間から流出する気体の流出方向にも沿うように形成され得る。その結果、電動送風機１は、従来の電動送風機と比べて、効率が高い。
【００４５】
図３に示されるように、上記電動送風機１において、複数の静翼１２の各々は、上記中心線と上記外周端部において接する接線と、回転中心Ｏを中心として上記外周端部を通る円弧と外周端部において接する接線とが上記断面上に成す出口設置角を有している。複数の静翼１２の各々において、第１断面上における第１出口設置角θＯＡは、第２断面上における第２出口設置角ＯＢよりも小さい。
【００４６】
そのため、複数の静翼１２間を流通する気体が隙間２１を経て戻り静翼１３間に流入する際に、第１面１１Ａに近い位置を通って複数の静翼１２間から流出する気体はファンカバー１４に衝突する前に戻り静翼１３間に流入することができる。その結果、電動送風機１は、従来の電動送風機と比べて、隙間２１の通風抵抗が低減されている。
【００４７】
上記電動送風機１では、上記延在方向に垂直な断面において、複数の静翼１２の各々の上記回転方向における一方の外形線および他方の外形線は、略円弧状である。そのため、複数の静翼１２間に形成される気体の流路は、その途中で急拡大することなく、上記内周端部間に位置する上流側から上記外周端部間に位置する下流側までなめらかに形成されている。その結果、上記電動送風機１では、複数の静翼１２間を流通する気体のうちより低速の気体が失速することが抑制されている。
【００４８】
上記電動送風機１では、上記延在方向から視たときに、主板１１の外形状が円形である。そのため、隙間２１の内周側に位置する端部は、円環状に形成されている。その結果、上記電動送風機１では、隙間２１の通風抵抗がより低減されている。上記延在方向から視たときの主板１１の外形状は円形に限られるものでは無く、略円形であってもよい。略円形とは、円形の他、楕円形などを含む形状を指す。また、上記延在方向から視たときの主板１１の外形状は、例えば正１２角形などの多角形であってもよい。
【００４９】
上記電動送風機１では、複数の静翼１２の外径Ｌ１は、主板１１の外径Ｌ２よりも大きい。このような電動送風機１では、主板１１とファンカバー１４との間に気体の流通方向を転向するための隙間２１が形成されながらも、複数の静翼１２の上記外周端部の主板１１から離れた位置にある部分がファンカバー１４により近い位置に形成されている。そのため、電動送風機１は、静圧の上昇率が高められているとともに、通風抵抗が低減されており、効率が高い。複数の静翼１２の外径は、主板１１の外径と同等であってもよい。
【００５０】
なお、複数の静翼１２の各々において、第３入口設置角は、少なくとも上記第１入口設置角θＩＡ以上第２入口設置角θＩＢ以下であればよい。また、複数の静翼１２の各々において、第３出口設置角は、少なくとも上記第１出口設置角θＯＡ以上第２出口設置角θＯＢ以下であればよい。
【００５１】
実施の形態２．
図６を参照して、実施の形態２に係る電動送風機について説明する。実施の形態２に係る電動送風機は、基本的に実施の形態１に係る電動送風機１と同様の構成を備えるが、複数の静翼１２の第２端部ＢＥＡと第４端部ＢＥＢとが上記延在方向において重なるように形成されている点で異なる。図６では、図３と同様に、上記第１断面および上記第２断面に平行な平面に重ねて投影された第１部１２Ａおよび第２部１２Ｂが示されている。
【００５２】
図６に示されるように、実施の形態２に係る電動送風機においても、電動送風機１と同様に、第１面１１Ａ（図１参照）に近い一方の断面における入口設置角は、第１面１１Ａから離れた他方の断面における入口設置角よりも小さい。
【００５３】
図６に示されるように、第１部１２Ａに関し、第１接線ＴＦＡおよび第９接線Ｔ４を考える。第１接線ＴＦＡは、第１端部ＦＥＡを通る、第１部１２Ａの第１中心線ＣＬＡの接線である。第９接線Ｔ４は、第１端部ＦＥＡを通る、回転中心Ｏを中心として第１端部ＦＥＡと通る第５円弧ＣＩ４の接線である。第１接線ＴＦＡと第９接線Ｔ４とは、上記第１断面上に第３入口設置角θＩＡを成している。
【００５４】
図６に示されるように、第２部１２Ｂに関し、第３接線ＴＦＢおよび第１０接線Ｔ５を考える。第３接線ＴＦＢは、第３端部ＦＥＢを通る、第２部１２Ｂの第２中心線ＣＬＢの接線である。第１０接線Ｔ５は、第３端部ＦＥＢを通る、回転中心Ｏを中心とし第３端部ＦＥＢと通る第６円弧ＣＩ５の接線である。第３接線ＴＦＢと第１０接線Ｔ５とは、上記第２断面上に第４入口設置角θＩＢを成している。
【００５５】
図６に示されるように、第１部１２Ａに関し、第５接線ＴＢＡおよび第１１接線Ｔ６を考える。第５接線ＴＢＡは、第２端部ＢＥＡを通る、第１中心線ＣＬＡの接線である。第１１接線Ｔ６は、第２端部ＢＥＡを通る、回転中心Ｏを中心とし第２端部ＢＥＡと通る第７円弧ＣＩ６の線である。第５接線ＴＢＡと第１１接線Ｔ６とは、上記第１断面上に第３出口設置角θＯＡを成している。
【００５６】
図６に示されるように、第２部１２Ｂに関し、第７接線ＴＢＢおよび第１２接線Ｔ６を考える。第７接線ＴＢＢは、第４端部ＢＥＢを通る、第２中心線ＣＬＢの接線である。第１２接線Ｔ６は、第４端部ＢＥＢを通る、回転中心Ｏを中心とし第４端部ＢＥＢと通る第８円弧ＣＩ６の接線である。なお、第１２接線は、上記延在方向から視たときに上記第１１接線Ｔ６と重なるため、図６においてＴ６で示される。第８円弧は、上記延在方向から視たときに上記第７円弧ＣＩ６と重なるため、図６においてＣＩ６で示される。第７接線ＴＢＢと第１２接線とは、上記第２断面上に第４出口設置角θＯＢを成している。
【００５７】
図６に示されるように、複数の静翼１２の各々は、第３入口設置角θＩＡが第４位入口設置角θＩＢよりも小さくなるように構成されている。複数の静翼１２の各々は、第３出口設置角θＯＡが第４出口設置角θＯＢよりも小さくなるように構成されている。複数の静翼１２において、複数の静翼１２の第２端部ＢＥＡと第４端部ＢＥＢとが上記延在方向において重なるように形成されている。複数の静翼１２において、第１端部ＦＥＡが第３端部ＦＥＢよりも上記回転方向において後方であって上記径方向において外側に形成されている。
【００５８】
そのため、実施の形態２に係る電動送風機は、電動送風機１と同様の効果を奏することができる。
【００５９】
実施の形態３．
図７および図８を参照して、実施の形態３に係る電動送風機について説明する。実施の形態３に係る電動送風機は、基本的に実施の形態１に係る電動送風機１と同様の構成を備えるが、複数の静翼１２の上記延在方向に垂直な断面形状が電動送風機１のそれと異なっている。
【００６０】
図７および図８に示されるように、上記延在方向に垂直な断面において、複数の静翼１２の各々の上記回転方向における一方の外形線の曲率中心は、該一方の外形線よりも他方の外形線側に位置している。上記断面において、複数の静翼１２の各々の上記回転方向における上記他方の外形線の曲率中心は、上記他方の外形線よりも上記一方の外形線側に位置している。
【００６１】
例えば、第１部１２Ａの上記回転方向において前方に位置する外形線Ａ１の曲率中心は、該外形線Ａ１よりも上記回転方向において後方側に位置している。第２部１２Ｂの上記回転方向において前方に位置する外形線Ｂ１の曲率中心は、該外形線Ｂ１よりも上記回転方向において後方側に位置している。言い換えると、複数の静翼１２の上記回転方向において前方に位置し、上記内周端部から上記外周端部まで延びる面は、上記回転方向において前方に凸状に形成されている。
【００６２】
第１部１２Ａの上記回転方向において後方に位置する外形線Ａ２の曲率中心は、該外形線Ａ２よりも上記回転方向において前方側に位置している。第２部１２Ｂの上記回転方向において後方に位置する外形線Ｂ２の曲率中心は、該外形線Ｂ２よりも上記回転方向において前方側に位置している。言い換えると、複数の静翼１２の上記回転方向において後方に位置し、上記内周端部から上記外周端部まで延びる面は、上記回転方向において後方に凸状に形成されている。静翼１２の上記回転方向において前方に位置する外形線と後方に位置する外形線との間の距離、言い換えると静翼１２の厚みは、上記径方向の中央部分において最も厚い。
【００６３】
このようにすれば、図８中の点線矢印および実線矢印により示されるような気体の流れが実現される。これにより、実施の形態３に係る電動送風機では、第１部１２Ａの上記回転方向において前方に位置する外形線Ａ１の曲率中心が該外形線Ａ１よりも上記回転方向において前方側に位置している場合（図３参照）と比べて、複数の静翼１２間に形成される流路の出口側（外周側）での流れの剥離の発生が抑制されている。その結果、実施の形態３に係る電動送風機は、複数の静翼１２間に形成される流路の通風抵抗が低減されており、静圧の上昇率が高められているため、効率が高い。
【００６４】
実施の形態４．
図９〜図１２を参照して、実施の形態４に係る電動送風機について説明する。実施の形態４に係る電動送風機は、基本的に実施の形態１に係る電動送風機１と同様の構成を備えるが、複数の静翼１２の各々の上記入口設置角の変化率が上記延在方向における位置に応じて異なっている点で異なる。図９の横軸は複数の静翼１２の上記延在方向における位置を示し、図９の縦軸は当該位置における上記入口設置角を示す。図１０の横軸は複数の静翼１２の上記延在方向における位置を示し、図１０の縦軸は当該位置における上記出口設置角を示す。
【００６５】
上記入口設置角の変化率は、図９においてグラフの傾きとして示される。例えば、上記第１断面と上記第３断面との間での入口設置角の変化率は、上記延在方向における上記第１断面と上記第３断面との間の距離に対する、上記第１断面上における入口設置角と上記第３断面上における入口設置角との差の比率として算出される。
【００６６】
上記入口設置角の変化率の変化は、図９においてグラフの傾きの変化として示される。例えば、上記第３断面と上記第２断面との間での入口設置角の変化率は、上記延在方向における上記第３断面と上記第２断面との間の距離に対する、上記第３断面上における入口設置角と上記第２断面上における入口設置角との差の比率として算出される。上記第３断面と上記第２断面との間での入口設置角の変化率は、上記第１断面と上記第３断面との間での入口設置角の変化率と異なる。
【００６７】
入口設置角の変化率は、図５に示される速度分布に基づいて設定される。例えば上記延在方向において第１面１１Ａに近い側での入口設置角の変化率は、上記延在方向において第１面１１Ａから遠い側での入口設置角の変化率よりも大きい。例えば、上記第１断面と上記第３断面との間での入口設置角の変化率は、上記第３断面と上記第２断面との間での入口設置角の変化率よりも大きい。上記速度分布に基づいて入口設置角の変化率が設定されることにより、静翼１２の上記内周端部での衝突損失はより効果的に低減され得る。
【００６８】
出口設置角の変化率は、図１０において曲線状のグラフの傾きとして示される。例えば、上記第１断面と上記第３断面との間での出口設置角の変化率は、上記延在方向における上記第１断面と上記第３断面との間の距離に対する、上記第１断面上における出口設置角と上記第３断面上における出口設置角との差の比率として算出される。
【００６９】
上記出口設置角の変化率の変化は、図１０においてグラフの傾きの変化として示される。例えば、上記第３断面と上記第２断面との間での出口設置角の変化率は、上記第１断面と上記第３断面との間での出口設置角の変化率と異なる。
【００７０】
出口設置角の変化率は、図５に示される速度分布に基づいて設定される。例えば上記延在方向において第１面１１Ａに近い側での出口設置角の変化率は、上記延在方向において第１面１１Ａから遠い側での出口設置角の変化率よりも大きい。例えば、上記第１断面と上記第３断面との間での出口設置角の変化率は、上記第３断面と上記第２断面との間での出口設置角の変化率よりも大きい。上記速度分布に基づいて出口設置角の変化率が設定されることにより、隙間２１での通風抵抗はより効果的に低減され得る。
【００７１】
上記のような構成を備える実施の形態４に係る電動送風機は、効率が高い。
上記入口設置角の変化率の変化の傾向、および上記出口設置角の変化率の変化の傾向は、上記速度分布に応じて任意に設定され得る。
【００７２】
上記延在方向において第１面１１Ａに近い側での入口設置角の変化率は、上記延在方向において第１面１１Ａから遠い側での入口設置角の変化率よりも小さくてもよい。この場合、上記径方向において内周側に位置する静翼１２の部分は、図１１に示されるような断面形状を成している。上記延在方向において第１面１１Ａに近い側での出口設置角の変化率は、上記延在方向において第１面１１Ａから遠い側での出口設置角の変化率よりも小さくてもよい。この場合、上記径方向において外周側に位置する静翼１２の部分は、図１２に示されるような断面形状を成している。
【００７３】
実施の形態５．
＜電気掃除機の構成＞
図１３を参照して、実施の形態５に係る電気掃除機１００について説明する。電気掃除機１００は、実施の形態１〜３に係る電動送風機の少なくともいずれか１つを備えている。電気掃除機１００は、例えば、電気掃除機本体１０１と、吸込具１０４と、集塵部１０５と、上述した電動送風機１とを備える。電気掃除機本体１０１には排出口１０７が設けられている。吸込具１０４は、電気掃除機本体１０１と管路としてのホース１０２および延長パイプ１０３で連結され、被清掃部の空気を吸引する。ホース１０２は電気掃除機本体１０１に接続される。延長パイプ１０３は、ホース１０２の先端側に接続される。吸込具１０４は延長パイプ１０３の先端部に接続される。
【００７４】
集塵部１０５は、電気掃除機本体１０１内部に設けられ、吸込具１０４と連通し、吸引した空気の塵を収納する。電動送風機１は、電気掃除機本体１０１内部に設けられ、吸込具１０４から集塵部１０５へと空気を吸引する。電動送風機１は、上述した本発明の実施形態に係る電動送風機である。排出口１０７は、電気掃除機本体１０１の後部に設けられ、集塵部１０５で集塵された後の空気を電気掃除機本体１０１の外へ排出する。
【００７５】
電気掃除機本体１０１の側部には、走行方向後側に後部車輪１０８が配置されている。電気掃除機本体１０１の下部には、走行方向前側に前部車輪（図示せず）が設けられている。
【００７６】
＜電気掃除機の動作＞
次に、図１３を参照して、電気掃除機の動作について説明する。上述のように構成された電気掃除機は、電動送風機１の電動部２に電力が供給されると、シャフト５（図１参照）が回転する。図１に示すように、このシャフト５が回転することにより、シャフト５に固定された遠心羽根車６が回転し、吸込口１７から空気を吸引する。これにより、図１３に示す電気掃除機本体１０１に連結されたホース１０２、延長パイプ１０３、吸込具１０４を通じて、被清掃面の空気が電気掃除機本体１０１に吸引される。電気掃除機本体１０１に吸引された空気は、集塵部１０５において集塵される。
【００７７】
その後、集塵部１０５から排出された空気は、図１に示すように、電動送風機１の吸込口１７から吸引される。電動送風機１に吸引された空気は、遠心羽根車６により昇圧、増速され、旋回しながら径方向外側へ向かう。遠心羽根車６から吐出された空気の大部分は、複数の静翼１２の翼間で減速、昇圧される。その後、空気は排出口１６および吐出口２０から電動送風機１の外側へ空気は排出される。そして、図１３に示す掃除機本体１０１に設けられた排出口１０７から電気掃除機本体１０１の外側へ空気が排出される。
【００７８】
＜電気掃除機の作用効果＞
上述した電気掃除機１００は、上述した高効率の電動送風機１を用いているので、吸込み仕事率の高い電気掃除機を得ることができる。
【００７９】
なお、電気掃除機１００は、実施の形態２〜４に係る電動送風機を備えていてもよい。このようにしても、電気掃除機１００の吸込み仕事率を高くすることができる。
【００８０】
なお、電気掃除機１００は、電気掃除機本体１０１にホース１０２、延長パイプ１０３が連結されたキャニスタ―タイプを説明したが、他のタイプの電気掃除機であってもよい。例えば、電気掃除機本体に延長パイプが接続されたコードレスタイプの電気掃除機、あるいはスティックタイプの電気掃除機にも、上述した実施の形態１〜４のいずれかに係る電動送風機を適用することができる。
【００８１】
実施の形態６．
＜ハンドドライヤーの構成＞
次に、図１４を参照して、実施の形態５に係るハンドドライヤー１１０について説明する。ハンドドライヤー１１０は、実施の形態１〜３に係る電動送風機の少なくともいずれか１つを備えている。ハンドドライヤー１１０は、例えば、電動送風機１、本体としてのケーシング１１１、手挿入部１１２、水受け部１１３、吸気口１１４、およびノズル１１５を備える。ハンドドライヤーでは、ケーシング１１１内に電動送風機１を有する。ハンドドライヤーでは、水受け部１１３の上部にある手挿入部１１２に手を挿入することで、電動送風機１による送風で水を手から吹き飛ばす。吹き飛ばされた水は、水受け部１１３からドレン容器（図示しない）へと貯留される。
【００８２】
ハンドドライヤーの外殻をなすケーシング１１１は、正面に手挿入口を有する。ケーシング１１１は、手挿入口に続く処理空間として手挿入部１１２を備えている。手挿入部１１２には使用者が手を挿入可能である。手挿入部１１２は、ケーシング１１１の正面下部に、正面と両側面が開放した開放シンク状の凹部として形成されている。手挿入部１１２の下部を形成するように水受け部１１３が配置されている。手挿入部１１２の上部には、手挿入部１１２に向かって下方に高速空気を吹き出すノズル１１５が設けられている。ケーシング１１１の下面には吸気口１１４が設けられている。
【００８３】
ケーシング１１１の内部空間内には、電動送風機１が配置されている。この電動送風機１はたとえば外部から供給される電力、あるいはケーシング１１１内部に配置されたバッテリーなどの電源からの電力により駆動される。また、当該空間内には、電動送風機１の吸気側とケーシング１１１の側面に設けられた吸気口１１４とを連通する吸気風路と、電動送風機１の排気側とノズル１１５とを連通する排気風路とが設けられている。
【００８４】
排気風路の途中でノズル１１５より上流側近傍には電動送風機１から排気された空気を加熱して温風化させるヒータが設けられていてもよい。また、吹出口としてのノズル１１５より背面側でケーシング１１１の内には、手検知センサおよび照明用ＬＥＤを備えた回路基板が設けられていてもよい。手検知センサは手挿入部１１２の手の有無を検知する。手挿入部１１２に手が挿入されたことが検出されると、照明手段としての照明用ＬＥＤは手挿入部１１２を照らし明るくする。
【００８５】
＜ハンドドライヤーの動作＞
次に手を乾燥させる使用時の動作について説明する。ハンドドライヤーとしての電気機器の電源スイッチをＯＮにすると、ケーシング１１１内に配置された制御回路などに通電され、手乾燥できる使用可能状態（以下、待機状態とする）となる。そして、使用者が濡れた手を手挿入口から手挿入部１１２内に手首付近まで入れると、手検知センサによって手の挿入が検知される。その結果、制御回路により電動送風機が作動する。
【００８６】
電動送風機１が作動すると、ハンドドライヤーの外の空気が吸気口１１４から吸い込まれる。吸気口１１４から吸い込まれた空気は、電動送風機１の吸込側に吸い込まれる。電動送風機１は吸気側から吸い込んだ空気を排気側から高圧空気に変換して排気する。排気された高圧空気は排気風路を通りノズル１１５に到達し、高い運動エネルギーを持つ高速空気流に変換される。高速空気流は手挿入部１１２内に下方に向かってノズル１１５から吹き出される。ノズル１１５から吹き出された高速空気流は、手挿入部１１２に挿入されている濡れた手に当り、手に付着した水分を手の表面から剥離して吹き飛ばす。このようにして、手を乾燥させることができる。なお、ケーシング１１１内に設けられたヒータスイッチ（図示せず）をＯＮにしている場合には、ヒータが通電され排気風路を通る高圧空気が加熱される。このため、ノズルからは温風が吹き出され冬場などにおいても使用者の使用感を良好に保つことができる。
【００８７】
手の乾燥処理終了後、手を手挿入部１１２から抜き出すと、手が抜かれたことを手検知センサが検知し、電動送風機が停止する。手から吹き飛ばされた水滴は、前傾構造の水受け部１１３に収容される。
【００８８】
＜ハンドドライヤーの作用効果＞
上述したハンドドライヤー１１０は、上述した高効率な電動送風機１を用いているので、高効率である。
【００８９】
なお、ハンドドライヤー１１０は、実施の形態２〜４に係る電動送風機を備えていてもよい。このようにしても、ハンドドライヤー１１０は、高効率である。
【００９０】
以上のように本発明の実施の形態について説明を行ったが、上述の実施の形態を様々に変形することも可能である。また、本発明の範囲は上述の実施の形態に限定されるものではない。本発明の範囲は、請求の範囲によって示され、請求の範囲と均等の意味および範囲内でのすべての変更を含むことが意図される。
【産業上の利用可能性】
【００９１】
本発明は、家庭用または業務用電気掃除機、ハンドドライヤーなど、遠心式の電動送風機を用いた機器に有利に適用できる。
【符号の説明】
【００９２】
１  電動送風機、２  電動部、３  ロータ、４  ステータ、５  シャフト、６  遠心羽根車、７  ハブ、８  動翼、１０  ディフューザ、１１  主板、１１Ａ  第１面、１１Ｂ  第２面、１２  静翼、１２Ａ  第１部、１２Ｂ  第２部、１３  戻り静翼、１４  ファンカバー、１５  ブラケット、１６  排出口、１７  吸込口、１８  ベルマウス、１９  モータフレーム、２０  吐出口、２１  隙間、１００  電気掃除機、１０１  電気掃除機本体、１０２  ホース、１０３  延長パイプ、１０４  吸込具、１０５  集塵部、１０７  排出口、１０８  後部車輪、１１０  ハンドドライヤー、１１１  ケーシング、１１２  手挿入部、１１３  水受け部、１１４  吸気口、１１５  ノズル。
【図１】
0006639695.tif 000002
【図２】
0006639695.tif 000003
【図３】
0006639695.tif 000004
【図４】
0006639695.tif 000005
【図５】
0006639695.tif 000006
【図６】
0006639695.tif 000007
【図７】
0006639695.tif 000008
【図８】
0006639695.tif 000009
【図９】
0006639695.tif 000010
【図１０】
0006639695.tif 000011
【図１１】
0006639695.tif 000012
【図１２】
0006639695.tif 000013
【図１３】
0006639695.tif 000014
【図１４】
0006639695.tif 000015